(57)【要約】【課題】遊技盤面を覆うガラス扉とガイドレールとの間の隙間から不正行為部材を挿入して行う不正行為を遊技領域外で防止するために、ガイドレールよりも外側に簡潔な構成の不正防止構造を設けた弾球遊技機を提供する。【解決手段】遊技盤４上の遊技領域４ａに遊技球を案内するためのガイドレール１３を備えた弾球遊技機１において、遊技盤４の前側に配置されるガラス板５の内面とガイドレール１３との間の前後方向の隙間を塞ぐ不正防止部材５２が、遊技盤４上でガイドレール１３の外側に配置される左部コーナー飾り体４２に装着されている。【選択図】図３
2013031561.tif 000002
【特許請求の範囲】
【請求項１】
遊技盤上の遊技領域に遊技球を案内するためのガイドレールを備えた弾球遊技機において、
前記遊技盤の前側に配置される透明板の内面と前記ガイドレールとの間の前後方向の隙間を塞ぐ不正防止部材が、前記遊技盤上で前記ガイドレールの外側に配置される外枠部材に装着されていることを特徴とする弾球遊技機。
【請求項２】
前記外枠部材は硬質合成樹脂で形成され、前記不正防止部材は弾性変形可能な材質で形成されていることを特徴とする請求項１に記載の弾球遊技機。
【請求項３】
前記不正防止部材は、外側に傾斜して前記透明板の内面に密着する先端部を有することを特徴とする請求項２に記載の弾球遊技機。
【請求項４】
前記外枠部材に溝が形成され、該溝に前記不正防止部材が挿入されていることを特徴とする請求項１から３の何れか１項に記載の弾球遊技機。
【請求項５】
前記遊技領域の外縁に位置する前記外枠部材の側部を挟むように前記溝が少なくとも２つ形成され、前記不正防止部材は前記２つの溝に挿入される帯板として形成されていることを特徴とする請求項４に記載の弾球遊技機。
【請求項６】
前記不正防止部材が前記溝から脱落することを防止する脱落防止手段が設けられていることを特徴とする請求項４又は５に記載の弾球遊技機。
【請求項７】
前記溝は前方が開放されており、前記脱落防止手段は前記溝に装着された前記不正防止部材が当該溝から前方に抜き出されることを防止することを特徴とする請求項６に記載の弾球遊技機。
【請求項８】
前記脱落防止手段は、前記不正防止部材に形成され、前方に向って外側に傾斜して延びる突起と、前記溝の外側の壁に形成され、前記溝に装着された前記不正防止部材を前方に抜き出すとき前記突起に係合する係合部とからなることを特徴とする請求項７に記載の弾球遊技機。
【発明の詳細な説明】
【技術分野】
【０００１】
本発明は、弾球遊技機に関する。
【背景技術】
【０００２】
パチンコ機等の弾球遊技機では、発射された遊技球を遊技盤面上の遊技領域に案内するためのガイドレールが遊技盤面上に配置されている。しかし、遊技盤面を覆うガラス扉とガイドレールとの間の隙間からピアノ線や樹脂フィルム等の不正行為部材を挿入して、遊技球を遊技盤面上の入賞口等に誘導する不正行為（いわゆるゴト行為）が行われることがある。従来、このような不正行為を防止するために、次のような不正防止部材をガイドレールに設けることが提案されている。
【０００３】
例えば、特許文献１には、二重成形によって一体化した硬質板と軟質樹脂部材をガイドレールの内側レール（内レール）に備えることが記載されている。
【０００４】
また、特許文献２には、硬質樹脂材料からなる帯状基板と弾性変形可能な材料からなる不正防止片とで不正防止部材を構成し、これを内側ガイドレールに取り付けることが記載されている。その取付構造は、上下方向に配置される帯状基板の上端に前後２つの係合爪を設け、前係合爪は内側ガイドレールの前縁に係合し、後係合爪は内側ガイドレールに設けた２つの切欠部に係合することで、不正防止部材を内側ガイドレールに固定するようになっている。
【先行技術文献】
【特許文献】
【０００５】
【特許文献１】特開２００８−９３０１１号公報
【特許文献２】特開２００９−８２２７４号公報
【発明の概要】
【発明が解決しようとする課題】
【０００６】
しかしながら、特許文献１の不正防止構造では、硬質板と軟質樹脂部材を二重成形によって一体化したレールを形成するため、ガイドレールの材質が二重成形可能な樹脂材料に制限されると共に、製造に工数及びコストがかかるという問題がある。
【０００７】
また、特許文献２の不正防止構造では、硬質の帯状基板と弾性変形可能な不正防止片という２つの部材を組み合わせることに加えて、２つの部材を組み合わせて得られた不正防止部材をガイドレールに取り付けるための構造が複雑化している。更に、不正防止部材を内側レールの外側、すなわち発射された遊技球が通過する通路側に取り付けているので、遊技球の通過の障害となるおそれもある。そして、ガイドレールは遊技領域内に配置されているので、上記のような不正防止部材をガイドレールに設けることは、遊技領域を侵食することになる。
【０００８】
本発明は、かかる問題に鑑みてなされたものであり、遊技盤面を覆うガラス扉とガイドレールとの間の隙間から不正行為部材を挿入して行う不正行為を防止するための不正防止構造を簡潔な構成とし且つガイドレールの外側に設けることで、上記の問題を解決することを目的とする。
【課題を解決するための手段】
【０００９】
本発明は、遊技盤上の遊技領域に遊技球を案内するためのガイドレールを備えた弾球遊技機において、前記遊技盤の前側に配置される透明板の内面と前記ガイドレールとの間の前後方向の隙間を塞ぐ不正防止部材が、前記遊技盤上で前記ガイドレールの外側に配置される外枠部材に装着されていることを特徴とする。
【００１０】
本発明の弾球遊技機において、前記外枠部材は硬質合成樹脂で形成され、前記不正防止部材は弾性変形可能な材質で形成されていることが好ましい。
【００１１】
また、本発明の弾球遊技機において、前記不正防止部材は、外側に傾斜して前記透明板の内面に密着する先端部を有することが好ましい。
【００１２】
また、本発明の弾球遊技機において、前記外枠部材に溝が形成され、該溝に前記不正防止部材が挿入されていることが好ましい。
【００１３】
この場合、前記不正防止部材が前記溝から脱落することを防止する脱落防止手段が設けられていることが好ましい。
【００１４】
そして、前記溝は前方が開放されており、前記脱落防止手段は前記溝に装着された前記不正防止部材が当該溝から前方に抜き出されることを防止することが好ましい。
【００１５】
また、前記遊技領域の外縁に位置する前記外枠部材の側部を挟むように前記溝が少なくとも２つ形成され、前記不正防止部材は前記２つの溝に挿入される帯板として形成されていることが好ましい。
【発明の効果】
【００１６】
本発明によれば、不正防止部材をガイドレールの外側に配置される外枠部材に装着するので、不正防止部材はガイドレール及び外枠部材とは独立した部材となり、これらの材質が制限を受けない。また、外枠部材に不正防止部材を装着するための構成を設ければよいので、不正防止構造を簡易な構成として、ガイドレールよりも外側で遊技領域を殆ど侵食せずに不正行為を防止することができる。
【図面の簡単な説明】
【００１７】
【図１】本発明の実施形態に係るパチンコ遊技機の外観を示す正面側の斜視図。
【図２】パチンコ遊技機の遊技盤の正面図。
【図３】本発明の第１及び第２の実施形態に係るパチンコ遊技機において、コーナー飾り体に不正防止部材を装着した状態を示す斜視図。
【図４】第１の実施形態において、左部コーナー飾り体に不正防止部材を装着する状態を説明する斜視図。
【図５】不正防止部材を示す斜視図。
【図６】左部コーナー飾り体に不正防止部材を装着した状態を示す図であり、（ａ）は図３のＡ−Ａ線に沿った断面図、（ｂ）は図３のＢ−Ｂ線に沿った断面図。
【図７】第２の実施形態において、左部コーナー飾り体に不正防止部材を装着する状態を説明する斜視図。
【図８】左部コーナー飾り体に不正防止部材を装着した状態を示す図であり、（ａ）は図３のＡ−Ａ線に沿った断面図、（ｂ）は図３のＢ−Ｂ線に沿った断面図。
【発明を実施するための形態】
【００１８】
以下、本発明の実施形態に係る弾球遊技機について、図面を参照して説明する。なお、以下に述べる実施形態では、弾球遊技機として、パチンコ遊技機を例にとって説明する。
【００１９】
図１に示すように、パチンコ遊技機１は、矩形状の外枠２と、この外枠２の前側に左端部の縦軸廻りに開閉自在に枢着された前扉（ガラス扉）３とを備えている。外枠２内には、遊技盤４（図２参照）が配置されている。前扉３の中央部には透明板（ガラス板）５が嵌め込まれている。前扉３の下側に配置された前面板６は、その左端部の縦軸廻りに開閉自在に外枠２に枢支されている。前扉３の上部の左右両側にはスピーカ７が設けられている。また、前面板６には、遊技球を貯留する貯留皿８、発射機構を作動させるための発射ハンドル９等が設けられている。
【００２０】
図２に示すように、遊技盤４の前面には遊技領域４ａが形成されている。そして、遊技盤４の中央部は開口として形成され、この開口内に、遊技状態に応じて種々の数字や記号、キャラクタ等の図柄や背景を表示する液晶表示装置１０の表示画面が配置されている。その下方の遊技領域４ａ内には、特別図柄始動口となる可変入賞装置１１、変動入賞装置１２等の入賞口が配置されている。更に、遊技領域４ａには、風車等の装飾部材や多数の遊技釘（図示省略）が配置されている。
【００２１】
図２において、遊技領域４ａの左側には、発射機構により発射された遊技球を遊技領域４ａに案内するため略上下方向に延びたガイドレール１３が配置されている。ガイドレール１３は、金属製の帯状の外内２本のガイドレール２１，２２から構成されている。
【００２２】
外側ガイドレール２１は、遊技盤４の左下端から上方に円弧状に延び、その上端は、円形の遊技領域４ａを規定する遊技盤面上の仕切に接している。内側ガイドレール２２は、外側ガイドレール２１の内側に沿って上方に延びている。これら外内２本のガイドレール２１，２２の間で上下方向に延びた空間が、前記発射機構から発射された遊技球が通過する発射通路２３を形成している。
【００２３】
なお、内側ガイドレール２２の上端には、発射球の発射方向（遊技領域４ａ側）への通過を許可すると共に戻り方向（発射通路２３側）への通過を阻止する戻り球防止装置２４が配設されている。また、内側ガイドレール２２の最下部には、アウト球回収口２５にアウト球を導入する球寄せ部２６が形成されている。
【００２４】
遊技盤４は、略正方形のパネルで形成され、その盤面上の遊技領域４ａは、化粧板２７の前面にビス等（図面省略）で固定されるセンター飾り体４１、左部コーナー飾り体４２、右部コーナー飾り体４３等の外枠部材によって区画形成されている。これら飾り体４１〜４３は、ポリカーボネート（ＰＣ）等の硬質樹脂材料を用いた射出成形によってそれぞれ一体成型で形成されている。
【００２５】
左部コーナー飾り体４２は、その内側面に外側ガイドレール２１全体が近接するように、正面視において遊技盤４の左下部から左上部に延び更に右上部に至る周縁部に設けられており、全体として大略弓状に形成されている。
【００２６】
図２及び図３を参照して、左部コーナー飾り体４２は、外側ガイドレール２１の外面に近接対向し、遊技盤４の前面から前方に垂直に伸びる内側壁４５を備えている。そして、最も左外側に位置する左側中央部を除く全ての内側壁４５の前方側端部から外方に前側壁４６が延出し、更に、図４を参照して、この前側壁４６の外側端部から後方に垂直に外側壁４７が延出している。内側壁４５と外側壁４７の後端面は面一になっている（図６（ａ）及び図８（ａ）参照）。
【００２７】
左部コーナー飾り体４２は、内側壁４５の後側端面から突出して形成された突起（図示省略）が遊技盤の化粧板２７に形成された孔（図示省略）に挿入されることにより、化粧板２７に固定されている。左部コーナー飾り体４２が化粧板２７に固定されて遊技盤４に設置された状態で、左部コーナー飾り体４２とガラス板５（図１、図６（ａ）及び図６（ｂ）参照）との間には前後方向に若干隙間が空いている。
【００２８】
次に、本発明の第１の実施形態に係るパチンコ遊技機１の不正防止構造について説明する。
【００２９】
左外方から見た斜視図である図４を参照して、左部コーナー飾り体４２には、外側ガイドレール２１の最も外側の側部に近接対向する部分である左側中央部を挟むように２つの溝５１が形成されている。そして、これら２つの溝５１に１枚の帯体である不正防止部材５２が挿入されることにより不正防止構造が構成されている。各溝５１は、それぞれ外側壁４７の外側にて前方を開放するようにして直線状に形成されている。
【００３０】
図４、図５、図６（ａ）及び図６（ｂ）を参照して、不正防止部材５２は、帯状の金属片５３と、この金属片５３を覆うように形成された弾性部材５４とから構成されている。不正防止部材５２は、左部コーナー飾り体４２に形成された２つの溝５１と、その間に位置する内側壁４５の円弧状の外面とに沿った形状に形成されている。すなわち、不正防止部材５２は、長手方向中央部が左外方に弓状に膨出した大略矩形状の薄板となっている。
【００３１】
弾性部材５４は、ポリエステル系エラストマー等のエラストマー、酢酸ビニル樹脂、シリコーンゴム、天然ゴム、ポリエチレン、ポリプロピレン等の軟質合成樹脂など、弾性変形可能な材料から形成されている。なお、軟質合成樹脂とは、飾り体４１〜４３を形成すポリカーボネートの他、ポリエステルやポリアクリル等の硬質合成樹脂と比較して硬度の低い樹脂を意味する。
【００３２】
図４及び図５を参照して、金属片５３には、溝５１の外側に位置する壁５５に形成された複数の貫通穴５６に対応して、前方に向って左外側に傾斜して延びる複数の矩形状の突起５７が外面に形成されている。なお、図４では、貫通穴５６及び突起５７はそれぞれ３つ形成されている。弾性部材５４は、突起５７が形成された部分を除いて金属片５３全体を覆っており、その左前端部から前方に向って左外側に傾斜して薄肉状の先端部５８が延出している。図３では、不正防止部材５２としてこの先端部５８が見えている。
【００３３】
図４及び図５を参照して、不正防止部材５２は、全体として帯板となっており、左部コーナー飾り体４２の前方から押し入れることにより、左部コーナー飾り体４２に安定的に装着される。よって、装着する際に、接着剤やネジ等の固定手段を必要としないので、工具を必要とせず、容易である。
【００３４】
そして、不正防止部材５２を左部コーナー飾り体４２に押し入れる際、突起５７は内側に一旦倒れ込み、その後、突起５７は弾性変形して再び左外側に傾斜する。そのため、図６（ａ）を参照して、不正防止部材５２を装着された状態から単に抜き出させようとしても、突起５７が貫通穴５６の前端面と係合するので、不正防止部材５２は容易には抜け出ない。このようにして、突起５７と貫通穴５６とが本発明における脱落防止手段を構成している。不正防止部材５２を取り外す場合、突起５７を内方に押し付けながら不正防止部材５２を前方に引き出せばよく、工具を必要とせず、容易である。
【００３５】
また、外側ガイドレール２１、左部コーナー飾り体４２及び不正防止部材５２は、それぞれ独立した部材であるので、互いに材質の制限を受けず、各部材の機能等に応じた適宜な材料で形成することができる。
【００３６】
また、左部コーナー飾り体４２には不正防止部材５２を装着、係止するために溝５１などの構成が形成されているが、左部コーナー飾り体４２は射出形成によって一体成型されているので、これらの構成を簡易に設けることができる。
【００３７】
また、図６（ａ）及び図６（ｂ）を参照して、不正防止部材５２が左部コーナー飾り体４２に装着されたとき、弾性部材５４の先端部５８は左外側に傾斜してガラス板５の内面に密着する。そして、先端部５８は、軟質合成樹脂などからなり薄肉状に形成されているので、柔軟性が高い。そのため、ピアノ線や樹脂フィルム等の不正行為部材（図示省略）を左側外方からガラス板５と弾性部材５４との隙間に侵入させることは非常に困難であり、不正行為を効果的に防止することができる。
【００３８】
また、図２及び図４を参照して、外側ガイドレール２１の最も外側の左側中央部分に近接対向する部分には溝５１が形成されていないので、左部コーナー飾り体４２のこの部分の左右方向の厚みを薄くすることが可能となる。これにより、広い遊技領域４ａを確保することができる。
【００３９】
次に、本発明の第２の実施形態に係るパチンコ遊技機１の不正防止構造について説明する。
【００４０】
図２、図３及び図７を参照して、左部コーナー飾り体４２Ａは、外側ガイドレール２１の最も外側の側部に近接対向する部分である左側中央部を挟むように２つの溝６１が形成されている。そして、この２つの溝６１に１枚の帯体である不正防止部材６２が挿入されることにより不正防止構造が構成されている。各溝６１は、それぞれ外側壁４７の外側にて前方を開放するようにして直線状に形成されている。
【００４１】
図７、図８（ａ）及び図８（ｂ）を参照して、不正防止部材６２は、上述した弾性部材５４と同様の弾性変形可能な材料のみからなり、左部コーナー飾り体４２Ａに形成された２つの溝６１と、その間に位置する内側壁４５の円弧状の外面とに沿った形状に形成されている。すなわち、不正防止部材６２は、長手方向中央部が左外方に弓状に膨出した大略矩形状の薄板として帯板となっている。
【００４２】
外側ガイドレール２１の最も外側の左側中央部分に近接する部分には溝６１が形成されていないので、左部コーナー飾り体４２Ａのこの部分の左右方向の厚みを薄くすることが可能となる。これにより、広い遊技領域４ａを確保することができる。
【００４３】
不正防止部材６２には、図８（ａ）を参照して、各溝６１の下部にそれぞれ形成された押え防止突起６３に対応して、各溝６１に挿入される部分に、後端から左外方に向って延出する延出部６４がそれぞれ形成されている。そして、不正防止部材６２は、前方に向って左外側に傾斜して延出する薄肉状の先端部６５を有している。図３では、不正防止部材６２としてこの先端部６５が見えている。
【００４４】
図７を参照して、このように構成された不正防止部材６２は、左部コーナー飾り体４２Ａの溝６１に上方（又は下方）から摺動させて押し入れることにより、左部コーナー飾り体４２Ａに安定的に装着される。よって、装着する際に、接着剤やネジ等の固定手段を必要としないので、工具も必要とせず、容易である。
【００４５】
そして、図７及び図８（ａ）を参照して、左部コーナー飾り体４２Ａに装着された不正防止部材６２を前方に抜き出そうとしても、延出部６４が押え防止突起６３と係合するので、不正防止部材６２は容易には抜け出ない。このようにして、延出部６４と押え防止突起６３とが本発明における脱落防止手段を構成している。不正防止部材６２を取り外す場合には、不正防止部材６２を摺動させて溝６１から引き出せばよく、工具を必要とせず、容易である。
【００４６】
また、外側ガイドレール２１、左部コーナー飾り体４２Ａ及び不正防止部材６２は、それぞれ独立した部材であるので、互いに材質の制限を受けず、各部材の機能等に応じた適宜な材料で形成することができる。
【００４７】
また、左部コーナー飾り体４２Ａは、射出成形によって一体成型されているので、不正防止部材６２を装着、係止するための溝６１などの構成を簡易に設けることができる。
【００４８】
また、図８（ａ）及び図８（ｂ）を参照して、不正防止部材６２が左部コーナー飾り体４２Ａに装着されたとき、不正防止部材６２の先端部６５は左外側に傾斜してガラス板５の内面に密着する。そして、先端部６５は、軟質合成樹脂などからなり薄肉状に形成されているので、柔軟性が高い。そのため、ピアノ線や樹脂フィルム等の不正行為部材（図示省略）を左側外方からガラス板５と不正防止部材６２との隙間に侵入させることは非常に困難であり、不正行為を効果的に防止することができる。
【００４９】
また、図２及び図７を参照して、外側ガイドレール２１の最も外側の左側中央部分に近接対向する部分には溝６１が形成されていないので、左部コーナー飾り体４２Ａのこの部分の左右方向の厚みを薄くすることが可能となる。これにより、広い遊技領域４ａを確保することができる。
【００５０】
なお、本発明の遊技機の構成は、上述した実施形態に何ら限定されるものではなく、ガイドレール１３、左部コーナー飾り体（外枠部材）４２，４２Ａ、不正防止部材５２，６２の形状や構成を、本発明の趣旨を逸脱しない範囲で適宜変更することができる。
【００５１】
また、実施形態では、本発明に係る弾球遊技機としてパチンコ遊技機１について説明した。しかし、これに限定されず、例えば、雀球遊技機やアレンジボール機等の弾球遊技機であってもよい。
【符号の説明】
【００５２】
１…パチンコ遊技機（弾球遊技機）、  ２…外枠、  ３…内枠、  ４…遊技盤、  ４ａ…遊技領域、  ５…ガラス板（透明板）、  ６…前面板、  １３…ガイドレール、  ２１…外側ガイドレール、  ２２…内側ガイドレール、  ２４…発射通路、  ４２，４２Ａ…左部コーナー飾り体（外枠部材）、  ４５…内側壁、  ４６…前側壁、  ４７…外側壁、  ５１，６１…溝、  ５２，６２…不正防止部材、  ５３…金属片、  ５４…弾性部材、  ５５…壁、  ５６…貫通穴（係合部）（脱落防止手段）、  ５７…突起（脱落防止手段）、  ５８，６５…先端部、  ６３…押え防止突起（脱落防止手段）、  ６４…延出部（脱落防止手段）。
【図１】
2013031561.tif 000003
【図２】
2013031561.tif 000004
【図３】
2013031561.tif 000005
【図４】
2013031561.tif 000006
【図５】
2013031561.tif 000007
【図６】
2013031561.tif 000008
【図７】
2013031561.tif 000009
【図８】
2013031561.tif 000010